【事件の表示】
　特許第３３３９７６５号「背面投射型スクリーン」の請求項１に係る特許に対する特許異議の申立てについて、次のとおり決定する。
【結　論】
　訂正を認める。
　特許第３３３９７６５号の請求項に係る特許を維持する。
【理　由】
１．手続の経緯
    特許第３３３９７６５号の請求項１に係る発明についての出願は、平成７年６月２９日（出願番号：特願平７−１６４２７３号）の出願であって、平成１４年８月１６日にその発明について特許権の設定登録がされ、その後、その特許について、異議申立人　株式会社ディスクより特許異議の申立てがなされ、取消の理由が通知され、その指定期間内である平成１６年１０月１２日に訂正請求がされたものである。
　
２．訂正の適否についての判断
（１）訂正の内容
　特許権者が求めている訂正の内容は以下の訂正事項ａ〜ｓのとおりである。
　
訂正事項ａ．特許請求の範囲の【請求項１】を「光源側に配置されたフレネルレンズシートと、観察側に配置されたレンチキュラーレンズシートから構成され、該レンチキュラーレンズシートの入射面側にレンズピッチ（Ｐ）と曲率半径（Ｒ）が次の式（１）の関係を満足すると共に、該レンズピッチ（Ｐ）と液晶画素の鉛直方向のピッチ（ＰＬＨ）が次の式（２４）あるいは式（２５）の関係を満足し、しかもレンズピッチ（Ｐ）が０．３ｍｍ以下であるレンチキュラーレンズが形成されていることを特徴とする液晶プロジェクション用背面投射型スクリーン。
【数１】
　　１．４≦Ｐ／Ｒ≦１．９・・・（１）
【数２４】
    Ｎ＋０．４７≦ＰＬＨ／Ｐ≦Ｎ＋０．５３・・・（２４）
【数２５】
    １／（Ｎ＋０．４７）≦ＰＬＨ／Ｐ≦１／（Ｎ＋０．５３）・・・（２５）
　（但し、式（２４）〜（２５）において、Ｎは１〜１２の自然数である。）」と訂正する。
　
訂正事項ｂ．特許請求の範囲の【請求項２】を「光源側に配置されたフレネルレンズシートと、観察側に配置されたレンチキュラーレンズシートから構成され、該レンチキュラーレンズシートの入射面側にレンズピッチ（Ｐ）と曲率半径（Ｒ）が次の式（２６）の関係を満足し、しかもレンズピッチ（Ｐ）が０．３ｍｍ以下であるレンチキュラーレンズが形成されており、前記フレネルレンズシートは入射面側に水平方向の第１のリニアフレネルレンズを、出射面側に鉛直方向の第２のリニアフレネルレンズを有し、第１のリニアフレネルレンズのレンズピッチ（ＰＦ１）と液晶画素の水平方向のピッチ（ＰＬＶ）が次の式（２）あるいは式（３）の関係を満足し、第２のリニアフレネルレンズのレンズピッチ（ＰＦ２）とレンチキュラーレンズのレンズピッチ（Ｐ）が次の式（４）あるいは式（５）の関係を満足することを特徴とする液晶プロジェクション用背面投射型スクリーン。
【数２６】
　　１．４≦Ｐ／Ｒ≦１．９・・・（１）
【数２】
    Ｎ＋０．４５≦ＰＬＶ／ＰＦ１≦Ｎ＋０．５５・・・（２）
【数３】
    １／（Ｎ＋０．４５）≦ＰＬＶ／ＰＦ１≦１／（Ｎ＋０．５５）・・・（３）
【数４】
    Ｎ＋０．４５≦Ｐ／ＰＦ２≦Ｎ＋０．５５・・・（４）
【数５】
    １／（Ｎ＋０．４５）≦Ｐ／ＰＦ２≦１／（Ｎ＋０．５５）・・・（５）
　（但し、式（２）〜（５）において、Ｎは１〜１２の自然数である。）」と訂正する。
　
訂正事項ｃ．明細書第段落【０００５】を「すなわち、本発明の液晶プロジェクション用背面投射型スクリーンは、光源側に配置されたフレネルレンズシートと、観察側に配置されたレンチキュラーレンズシートから構成され、該レンチキュラーレンズシートの入射面側にレンズピッチ（Ｐ）と曲率半径（Ｒ）が次の式（６）の関係を満足すると共に、該レンズピッチ（Ｐ）と液晶画素の鉛直方向のピッチ（ＰＬＨ）が次の式（８）あるいは式（９）の関係を満足し、しかもレンズピッチ（Ｐ）が０．３ｍｍ以下であるレンチキュラーレンズが形成されていることを特徴とするものである。」と訂正する。
　
訂正事項ｄ．明細書第段落【０００６】を
「【数６】
　　１．４≦Ｐ／Ｒ≦１．９・・・（６）
【数８】
    Ｎ＋０．４７≦ＰＬＨ／Ｐ≦Ｎ＋０．５３・・・（８）
【数９】
    １／（Ｎ＋０．４７）≦ＰＬＨ／Ｐ≦１／（Ｎ＋０．５３）・・・（９）
　（但し、式（８）〜（９）において、Ｎは１〜１２の自然数である。）」と訂正する。
　
訂正事項ｅ．明細書第段落【００１２】を「本発明の液晶プロジェクション用背面投射型スクリーンは、液晶プロジェクションテレビ等の液晶プロジェクターに使用される液晶パネルの液晶画素とレンチキュラーレンズとの間でのモアレ現象の発生を抑止するために、レンチキュラーレンズのレンズピッチ（Ｐ）と液晶画素の鉛直方向のピッチ（ＰＬＨ）とを前記式（８）あるいは式（９）の関係を満足するように設定する。これは、レンチキュラーレンズシート２のレンチキュラーレンズのレンズピッチ（Ｐ）と液晶画素の鉛直方向のピッチ（ＰＬＨ）が式（８）あるいは式（９）の範囲外であると、レンチキュラーレンズシート２と液晶画素との間でのモアレ現象が発生する傾向にあるためである。」と訂正する。
　
訂正事項ｆ．明細書第段落【００１３】を削除する。
　
訂正事項ｇ．明細書第段落【００１４】を削除する。
　
訂正事項ｈ．明細書第段落【００１５】を「なお、式（８）〜（９）において、Ｎは２〜６の自然数であることが好ましく、さらに好ましくは３〜６の自然数である。」と訂正する。
　
訂正事項ｉ．明細書第段落【００１６】を削除する。
　
訂正事項ｊ．明細書第段落【００１７】を削除する。
　
訂正事項ｋ．明細書第段落【００２４】を「この場合、第１のリニアフレネルレンズ３のレンズピッチ（ＰＦ１）と液晶画素の水平方向のピッチ（ＰＬＶ）が、次の式（１２）あるいは式（１３）の関係を満足するように、第２のリニアフレネルレンズ４のレンズピッチ（ＰＦ２）とレンチキュラーレンズのレンズピッチ（Ｐ）が、次の式（１４）あるいは式（１５）の関を満足するように設定することが好ましい。このように設定することにより、液晶画素と第１のリニアフレネルレンズ３との間で発生するモアレ現象と、レンチキュラーレンズと第２のリニアフレネルレンズ４との間で発生するモアレ現象の両方を同時に抑制することができるものである。」と訂正する。
　
訂正事項ｌ．明細書第段落【００２７】を
「【数１４】
    Ｎ＋０．４５≦Ｐ／ＰＦ２≦Ｎ＋０．５５・・・（１４）」と訂正する。
　
訂正事項ｍ．明細書第段落【００２８】を
「【数１５】
    １／（Ｎ＋０．４５）≦Ｐ／ＰＦ２≦１／（Ｎ＋０．５５）・・・（１５）
　（但し、式（１２）〜（１５）において、Ｎは１〜１２の自然数である。）。」と訂正する。
　
訂正事項ｎ．明細書第段落【００２９】中の「アフレネルレンズシート１」を「リニアフレネルレンズシート１」と訂正する。
　
訂正事項ｏ．明細書第段落【００３４】中の「レンチキュラーレンズのレンズピッチ（ＰＲ）」を「レンチキュラーレンズのレンズピッチ（Ｐ）」と訂正する。
　
訂正事項ｐ．明細書第段落【００３５】を
「【数２０】
    Ｎ＋０．４７≦Ｐ／ＰＦ２≦Ｎ＋０．５３・・・（２０）」と訂正する。
　
訂正事項ｑ．明細書第段落【００３６】を
「【数２１】
    １／（Ｎ＋０．４７）≦Ｐ／ＰＦ２≦１／（Ｎ＋０．５３）・・・（２１）」と訂正する。
　
訂正事項ｒ．明細書第段落【００３７】を
「【数２２】
    Ｎ＋０．４８≦Ｐ／ＰＦ２≦Ｎ＋０．５２・・・（２２）」と訂正する。
　
訂正事項ｓ．明細書第段落【００３８】を
「【数２３】
    １／（Ｎ＋０．４８）≦Ｐ／ＰＦ２≦１／（Ｎ＋０．５２）・・・（２３）
　（但し、式（２０）〜（２３）において、Ｎは１〜１２の自然数である。）」と訂正する。
　
（２）訂正の目的の適否、新規事項の有無、及び特許請求の範囲の拡張・変更の存否
　上記訂正事項ａは、特許請求の範囲の減縮を目的とした明細書の訂正に該当し、新規事項の追加に該当せず、また、実質的に特許請求の範囲を拡張又は変更するものでもない。
　また、上記訂正事項ｂは、【請求項２】を引用形式から独立形式に変更すると共に、誤記を訂正したもので新規事項の追加に該当せず、また、実質的に特許請求の範囲を拡張又は変更するものでもない。
　上記訂正事項ｃ〜ｓは、特許請求の範囲の【請求項１】あるいは【請求項２】の訂正項と整合を図るものであるから、明りょうでない記載の釈明を目的とした明細書の訂正、あるいは誤記の訂正に該当し、いずれも、新規事項の追加に該当せず、また、実質的に特許請求の範囲を拡張又は変更するものでもない。
　　
（３）訂正事項ｂ．特許請求の範囲の【請求項２】に係る発明の独立特許要件
　請求項２に係る発明は、特許異議の申立がされていない請求項についての訂正であるので、訂正明細書の請求項２の独立特許要件について検討する。
　請求項２は、上記（２）で述べたように、実質的な訂正がされたものではない。
　特許異議申立人が提出した甲第１〜６号証のいずれにも、フレネルレンズシートは入射面側に水平方向の第１のリニアフレネルレンズを、出射面側に鉛直方向の第２のリニアフレネルレンズを有し、第１のリニアフレネルレンズのレンズピッチ（ＰＦ１）と液晶画素の水平方向のピッチ（ＰＬＶ）が式（２）あるいは式（３）の関係を満足し、第２のリニアフレネルレンズのレンズピッチ（ＰＦ２）とレンチキュラーレンズのレンズピッチ（Ｐ）が式（４）あるいは式（５）の関係を満足することについて何ら記載されておらず、請求項２に係る発明は、申立人が提出した全刊行物に記載された発明に基づいて当業者が容易に発明できたものと認めることができない。
　したがって、訂正明細書の請求項２に係る発明は、出願の際、独立して特許を受けることができるものである。
　
（４）むすび
　以上のとおりであるから、上記訂正は、特許法第１２０条の４第２項及び同条第３項で準用する同法第１２６条第２から４項の規定に適合するので、当該訂正を認める。
　
３．特許異議申立ての概要
　特許異議申立人　株式会社ディスクは、請求項１に係る発明は、以下の理由により、特許を取り消すべき旨主張している。
　
・請求項１に係る発明は、甲第２号証（特開平４−１６９３４号公報）に記載された発明であり、特許法第２９条第１項の規定により特許を受けることができない。
　
・請求項１に係る発明は、甲第１号証（特開昭６３−２１２９２５号公報）、甲第２号証、甲第３号証（特開平４−２７０３３３号公報）、甲第４号証（特開平４−７８８４０号公報）、甲第５号証（特開平５−１５８１５５号公報）、甲第６号証（特開平５−２４９５６４号公報）に記載された発明に基づいて容易に発明をすることができたものであり、特許法第２９条第２項の規定により特許を受けることができない。
　
４．特許異議申立てについての判断
４−１．本件発明
　上記２．で示したように上記訂正が認められるから、本件発明は、訂正明細書の請求項１に記載された事項により特定されるものである。
　
４−２．甲各号証に記載された発明
（１）甲第１号証（特開昭６３−２１２９２５号公報）には、レンチキュラーレンズスクリーンの入光側の単位レンズ断面形状がその半径Ｒに対して、１．７Ｒ〜２Ｒのレンズ幅である点、具体的には半径が０．６５ｍｍに対しレンズ幅が１．２ｍｍである点等が記載されている。
　
（２）甲第２号証（特開平４−１６９３４号公報）には、ストランド２からなる透過型スクリーンのストランドの配列ピッチｐと曲率半径Ｒ１とが、０．５ｐ≦Ｒ１≦ｐの関係にある点等が記載されている。
　
（３）甲第３号証（特開平４−２７０３３３号公報）には、光源側レンズシートの入光側に、レンチの半径Ｒ１＝０．１４ｍｍであって、ピッチＰ１＝０．２５ｍｍである点等が記載されている。
　
（４）甲第４号証（特開平４−７８８４０号公報）には、背面投影透過型スクリーンのレンチキュラーレンズ層に０．２５ｍｍのピッチでレンチキュラーレンズ面が形成されている点等が記載されている。
　
（５）甲第５号証（特開平５−１５８１５５号公報）には、フレネルレンズシートとブラックストライプ付レンチキュラーレンズシートの組み合わせにおいて、ブラックストライプとのモアレを防止するために０．２〜０．３ｍｍ以下の微細なピッチのブラックストライプおよびレンチキュラーレンズが必要とされる点等が記載されている。
　
（６）甲第６号証（特開平５−２４９５６４号公報）には、液晶パネルを用いたプロジェクションテレビ用の透過型スクリーンにおいて、レンチキュラーレンズのピッチを投影された液晶パネルのパターンのピッチの７分の２以下に小さくしなければならず、４０インチ程度の液晶プロジェクションテレビの場合液晶パネルのパターンは１ｍｍ程度のピッチであるので、スクリーンには０．３ｍｍ以下のピッチが要求される点等が記載されている。
　
４−３．対比・判断
　そこで、本件発明と、甲第１〜６号証に記載された発明とを対比すると、甲第１〜６号証のいずれにも、本件発明１の、レンズピッチ（Ｐ）と液晶画素の鉛直方向のピッチ（ＰＬＨ）が式（２４）あるいは式（２５）の関係を満足する構成の記載がなく、示唆もない。
　
　当該事項により、本件発明は、液晶プロジェクションテレビ等の液晶プロジェクターに使用される液晶パネルの液晶画素とレンチキュラーレンズとの間でのモアレ現象の発生を抑止するという顕著な効果を奏するものであり、甲第２号証に記載された発明であるとも、甲第１〜６号証に記載された発明から容易に発明できたものともいえない。
　
　したがって、本件発明は、特許法第２９条第１項あるいは、第２項の規定により特許を受けることができないとすることはできない。
　
５．むすび
　以上のとおりであるから、異議申立人の理由及び証拠によっては、本件発明に係る特許を取り消すことができない。
　また、他に本件発明に係る特許を取り消すべき理由を発見しない。
　よって結論のとおり決定する。
【異議決定日】
平成１６年１０月２６日（２００４．１０．２６）
【訂正の要旨】
審決（決定）の【理由】欄参照。
（５４）【発明の名称】
背面投射型スクリーン
（５７）【特許請求の範囲】
　【請求項１】　光源側に配置されたフレネルレンズシートと、観察側に配置されたレンチキュラーレンズシートから構成され、該レンチキュラーレンズシートの入射面側にレンズピッチ（Ｐ）と曲率半径（Ｒ）が次の式（１）の関係を満足
すると共に、該レンズピッチ（Ｐ）と液晶画素の鉛直方向のピッチ（ＰＬＨ）が次の式（２４）あるいは式（２５）の関係を満足し、しかも
　【数１】
　　１．４≦Ｐ／Ｒ≦１．９…（１）
　【数２４】
　　Ｎ＋０．４７≦ＰＬＨ／Ｐ≦Ｎ＋０．５３…（２４）
　【数２５】
　　１／（Ｎ＋０．４７）≦ＰＬＨ／Ｐ≦１／（Ｎ＋０．５３）…（２５）
　（但し、式（２４）〜（２５）において、Ｎは１〜１２の自然数である。）
　【請求項２】　
光源側に配置されたフレネルレンズシートと、観察側に配置されたレンチキュラーレンズシートから構成され、該レンチキュラーレンズシートの入射面側にレンズピッチ（Ｐ）と曲率半径（Ｒ）が次の式（２６）の関係を満足し、しかもレンズピッチ（Ｐ）が０．３ｍｍ以下であるレンチキュラーレンズが形成されており、
は
（ＰＦ１）
（ＰＦ２）
　【数２６】
　　１．４≦Ｐ／Ｒ≦１．９…（２６）
　【数２】
　　Ｎ＋０．４５≦ＰＬＶ／ＰＦ１≦Ｎ＋０．５５…（２）
　【数３】
　　１／（Ｎ＋０．４５）≦ＰＬＶ／ＰＦ１≦１／（Ｎ＋０．５５）…（３）
　【数４】
　　Ｎ＋０．４５≦Ｐ／ＰＦ２≦Ｎ＋０．５５…（４）
　【数５】
　　１／（Ｎ＋０．４５）≦Ｐ／ＰＦ２≦１／（Ｎ＋０．５５）…（５）
　（但し、式（２）〜（５）において、Ｎは１〜１２の自然数である。）
【発明の詳細な説明】
　【０００１】
　【産業上の利用分野】
　本発明は、液晶プロジェクタを用いた液晶プロジェクションテレビ等の画面として用いられる液晶プロジェクション用背面投射型スクリーンに関するものであり、さらに詳しくは、配光特性に優れるとともに、外光の影響の少ない高品質の映像を提供することができる背面投射型スクリーンに関するものである。
　【０００２】
　【従来の技術】
　プロジェクションテレビ等において使用される背面投射型スクリーンは、投影光を拡散して画面の明るさおよび均一性が得られるように、また斜め方向から観察した場合でもある程度の明るい像が観察できるように、光源側にサーキュラーフレネルレンズシートを、観察側にレンチキュラーレンズシートを配置した構成となっている。フレネルレンズシートは、光源から入射した光線を観察者の方向に向け、画面の四隅周辺が暗くならないようにしている。また、レンチキュラーレンズシートは、水平方向へ光線を拡散させ水平視野角を広げている。
　【０００３】
　【発明が解決しようとする課題】
　従来の背面投射型スクリーンにおいては、レンチキュラーレンズシートとして、断面半円状、断面半楕円状等の断面円弧状の形状をしたレンチキュラーレンズが、出射面あるいは入射面のいずれか一方にレンチキュラーレンズが形成された片面レンシキュラーレンズシート、出射面および入射面の両方にレンチキュラーレンズが形成された両面レンチキュラーレンズシート等が使用されている。また、レンチキュラーレンズシートの観察側の面に、画像のコントラストを向上させる目的で、レンチキュラーレンズの光不透過部にブラックストライプを形成したもの等も使用されている。しかしながら、このようなレンチキュラーレンズシートを用いた従来の背面投射型スクリーンにおいては、その配光特性と外光の影響のバランス性に劣り、背面投射型スクリーンの配光特性を向上させると外光の影響を受けやすくなり、強い照明下や太陽光の強い環境では著しく画像の品質が低下するものであった。逆に、外光の影響を少なくした場合には背面投射型スクリーンの配光特性が低下するものであった。そこで、本発明の目的は、配光特性に優れるとともに、外光の影響が少なく、配光特性と外光の影響のバランス性に優れた高品質の画像を提供することができる背面投射型スクリーンを提供することにある。
　【０００４】
　【課題を解決するための手段】
　本発明者等は、上記従来技術の有する問題点を鑑み、レンチキュラーレンズシートのレンズ形状について鋭意検討を行った結果、本発明に到達したものである。
　【０００５】
　すなわち、本発明の液晶プロジェクション用背面投射型型スクリーンは、光源側に配置されたフレネルレンズシートと、観察側に配置されたレンチキュラーレンズシートから構成され、該レンチキュラーレンズシートの入射面側にレンズピッチ（Ｐ）と曲率半径（Ｒ）が次の式（６）の関係を満足
すると共に、該レンズピッチ（Ｐ）と液晶画素の鉛直方向のピッチ（ＰＬＨ）が次の式（８）あるいは式（９）の関係を満足し、
　【０００６】
　【数６】
　　１．４≦Ｐ／Ｒ≦１．９…（６）
　
【数８】
　　
Ｎ＋０．４７≦ＰＬＨ／Ｐ≦Ｎ＋０．５３…（８）
　
【数９】
　　
１／（Ｎ＋０．４７）≦ＰＬＨ／Ｐ≦１／（Ｎ＋０．５３）…（９）
　
（但し、式（８）〜（９）において、Ｎは１〜１２の自然数である。）
　【０００７】
　本発明の背面投射型スクリーンは、図１に示したように、フレネルレンズシート１を光源側に配置するとともに、レンチキュラーレンズシート２を観察側に配置することによって構成される。レンチキュラーレンズシート２は、図２に示したように、その入射面にレンズピッチ（Ｐ）と曲率半径（Ｒ）が、１．４≦Ｐ／Ｒ≦１．９の関係を満足するレンチキュラーレンズが形成されている。レンズピッチ（Ｐ）と曲率半径（Ｒ）とがこのような関係にあるレンチキュラーレンズを入射面に形成することによって、背面投射型スクリーンとして配光特性と外光の影響のバランス性に優れたレンチキュラーレンズシート２が得られるものである。これは、Ｐ／Ｒが１．４未満であると背面投射型スクリーンの配光特性が低下するためであり、逆に１．９を超えると背面投射型スクリーンの外光の影響が大きくなるためである。好ましくは、レンチキュラーレンズのレンズピッチ（Ｐ）と曲率半径（Ｒ）が、１．５≦Ｐ／Ｒ≦１．９の関係を満足する範囲であり、さらに好ましくは１．６≦Ｐ／Ｒ≦１．８の範囲である。
　【０００８】
　なお、本発明において、レンチキュラーレンズのレンズ形状は、特定の曲率半径を有する断面半円状であるが、必要に応じて特定の曲率半径を有する断面半円状に基づいた非球面レンズも含まれる。すなわち、断面半楕円状、レンズ面が双曲線あるいは放物線状のものであってもよく、特定の曲率半径を有する断面半円状に基づいて変形した断面円弧状の形状が使用できる。この場合、非球面レンズは次の式（７）で表される。
　【０００９】
　【数７】
　【００１０】
　（式中、Ｘはレンズ中心からの距離、Ｙは非球面レンズ座標、Ｃは曲率（１／Ｒ）、Ｋは非球面分類（Ｋ＜−１：双曲線、Ｋ＝−１：放物線、−１＜Ｋ＜０またはＫ＞０：楕円、Ｋ＝０：円）、Ａ１、Ａ２、Ａ３、Ａ４、Ａ５は夫々１０次多項式の２次、４次、６次、８次、１０次の係数を表す。）
　【００１１】
　また、レンチキュラーレンズのレンズピッチ（Ｐ）は、高精度の画像を得ることから０．３ｍｍ以下の範囲であることが好ましい。さらに、背面投射型スクリーンとして、通常のブラウン管と同等の外観が要求される場合には、レンチキュラーレンズシート２の出射面側を鏡面状とすることで、ブラウン管と同等の外観とすることができる。この場合、出射面にハードコート層、無反射コート層、帯電防止層等を施すこともできる。
　【００１２】
　本発明の
液晶プロジェクション用背面投写型スクリーンは、液晶プロジェクションテレビ等の
（Ｐ）
前記
る。
　【００１３】
　【００１４】
　【００１５】
　
なお、前記式（８）〜（９）において、
　【００１６】
　【００１７】
　【００１８】
　【００１９】
　【００２０】
　本発明のレンチキュラーレンズシート２は、アクリル系樹脂、ポリカーボネート系樹脂、オレフィン系樹脂、スチレン系樹脂、塩化ビニル系樹脂あるいはこれらの混合樹脂等の光透過性の良い合成樹脂から構成されており、押出成形法、鋳込み成形法、射出成形法、熱プレス成形法、切削加工法あるいは活性エネルギー線硬化法等の通常使用されている方法によって製造される。
　【００２１】
　本発明のフレネルレンズシート１は、アクリル系樹脂、ポリカーボネート系樹脂、オレフィン系樹脂、スチレン系樹脂、塩化ビニル系樹脂あるいはこれらの混合樹脂等の光透過性の良い樹脂から構成されており、鋳込み成形法、射出成形法、熱プレス成形法、押出成形法、切削加工法あるいは活性エネルギー線硬化型樹脂を用いる方法等の通常使用されている方法によって容易に製造することができる。また、フレネルレンズシートの厚さは、特に限定されるものではないが、界面反射による迷光での多重像を軽減する観点から、薄い方が好ましい。本発明のフレネルレンズシート１は、その表面にサーキュラーフレネルレンズあるいはリニアフレネルレンズが形成されたものである。リニアフレネルレンズを形成する場合には、互いのレンズ列が交差するよう両面にリニアフレネルレンズを形成するか、一方の表面にリニアフレネルレンズが形成された２枚のフレネルレンズシートを互いのレンズ列が交差するよう組み合わせて使用する。
　【００２２】
　本発明の背面投射型スクリーンは、液晶プロジェクターに使用される液晶パネルの液晶画素とフレネルレンズとの間でのモアレ現象、フレネルレンズとレンチキュラーレンズとの間でのモアレ現象の発生を抑止するために、リニアフレネルレンズを形成したフレネルレンズシート１を使用することが好ましい。特に、背面投射型スクリーンとしての構成枚数が少なく、投射光の損失が少ない点から、互いのレンズ列が交差するよう両面にリニアフレネルレンズを形成したフレネルレンズシート１を使用することが好ましい。
　【００２３】
　これは、図３に示したように、入射面側に水平方向の第１のリニアフレネルレンズ３を形成するとともに、出射面側に鉛直方向の第２のリニアフレネルレンズ４を形成することによって、レンチキュラーレンズとフレネルレンズとの間で発生するモアレ現象だけではなく、液晶プロジェクターに使用される液晶パネルの液晶画素とフレネルレンズとの間で発生するモアレ現象の両方を抑制するために、レンチキュラーレンズ、フレネルレンズおよび液晶画素の３つの間での各ピッチを最適化することが可能となり、両モアレ現象を同時に抑止することができるためである。
　【００２４】
　この場合、第１のリニアフレネルレンズ３のレンズピッチ（ＰＦ１）と液晶画素の水平方向のピッチ（ＰＬＶ）が、次の式（１２）あるいは式（１３）の関係を満足するように、第２のリニアフレネルレンズ４のレンズピッチ（ＰＦ２）とレンチキュラーレンズのレンズピッチ
（Ｐ）
次の
　【００２５】
　【数１２】
　　Ｎ＋０．４５≦ＰＬＶ／ＰＦ１≦Ｎ＋０．５５…（１２）
　【００２６】
　【数１３】
　　１／（Ｎ＋０．４５）≦ＰＬＶ／ＰＦ１≦１／（Ｎ＋０．５５）…（１３）
　【００２７】
　【数１４】
　　Ｎ＋０．４５≦
Ｐ
　【００２８】
　【数１５】
　　１／（Ｎ＋０．４５）≦
Ｐ
　（但し、式（１２）〜（１５）において、Ｎは１〜１２の自然数である。）
　【００２９】
　これは、第１のリニアフレネルレンズ３のレンズピッチ（ＰＦ１）と液晶画素の水平方向のピッチ（ＰＬＶ）とが式（１２）あるいは式（１３）の範囲外であると、
リニ
　【００３０】
　【数１６】
　　Ｎ＋０．４７≦ＰＬＶ／ＰＦ１≦Ｎ＋０．５３…（１６）
　【００３１】
　【数１７】
　　１／（Ｎ＋０．４７）≦ＰＬＶ／ＰＦ１≦１／（Ｎ＋０．５３）…（１７）
　【００３２】
　【数１８】
　　Ｎ＋０．４８≦ＰＬＶ／ＰＦ１≦Ｎ＋０．５２…（１８）
　【００３３】
　【数１９】
　　１／（Ｎ＋０．４８）≦ＰＬＶ／ＰＦ１≦１／（Ｎ＋０．５２）…（１９）
　（但し、式（１６）〜（１９）において、Ｎは１〜１２の自然数である。）
　【００３４】
　同様に、第２のリニアフレネルレンズ４のレンズピッチ（ＰＦ２）とレンチキュラーレンズのレンズピッチ
（Ｐ）
　【００３５】
　【数２０】
　　Ｎ＋０．４７≦
Ｐ
　【００３６】
　【数２１】
　　１／（Ｎ＋０．４７）≦
Ｐ
　【００３７】
　【数２２】
　　Ｎ＋０．４８≦
Ｐ
　【００３８】
　【数２３】
　　１／（Ｎ＋０．４８）≦
Ｐ
　（但し、式（２０）〜（２３）において、Ｎは１〜１２の自然数である。）
　【００３９】
　さらに、本発明においては、第１のリニアフレネルレンズ３のレンズのレンズピッチ（ＰＦ１）と、第２のリニアフレネルレンズ４のレンズのレンズピッチ（ＰＦ２）とが、ＰＦ１≧ＰＦ２の関係にあることが好ましく、さらに好ましくはＰＦ１＞ＰＦ２の関係である。フレネルレンズシート１に形成されるリニアフレネルレンズ３、４は、図３に示したように、多数の直線状のフレネルレンズ列５が並列して形成され、１個のフレネル中心６を形成するものである。リニアフレネルレンズ３、４に形成されるフレネル中心６は、通常はフレネルレンズシート１の中央に形成されるが、装置の設置位置や観察場所による集光位置を調整する等の目的で、その位置をずらして偏心させて形成することもできる。
　【００４０】
　また、本発明の液晶プロジェクション用背面投射型スクリーンにおいては、リニアフレネルレンズ３、４の各々のフレネルレンズの傾斜角、形状、ピッチ等を独立して設定することができるため、水平方向と垂直方向の焦点距離に異方性を持たせること等が可能となり、種々の光学設計を容易に行うこともできる。例えば、光源の投射距離を短くした場合に起こるホットバンドやシースルー等の現象に対しては、垂直方向の焦点距離を変化させることなく、鉛直方向のリニアフレネルレンズのみのフレネルレンズの傾斜角を緩やかにして、ホットバンドやシースルー等の現象を顕著化させることなく、周辺部での全反射を防止することができる。また、光源の投射距離が短い場合に限らず、ホットバンドやシースルー等の現象が顕著な場合には、水平方向のリニアフレネルレンズのみのフレネルレンズの傾斜角を調節して垂直方向のみの焦点距離を短くすることによって、水平方向での画像特性を損なうことなく、ホットバンドやシースルー等の現象を軽減させることができる。
　【００４１】
　本発明においては、垂直方向の視野角を広げたり、フレネルレンズシート１とレンチキュラーレンズシート２によるモアレ現象の発生や写り込み等を抑制する目的で、フレネルレンズシート１あるいはレンチキュラーレンズシート２の少なくとも一つに０．１〜３重量％程度の範囲で少量の光拡散剤を混入させるてもよい。光拡散剤としては、特に限定されるものではなく公知の拡散剤が使用でき、例えば、シリカ、炭酸カルシウム、硫酸バリウム、酸化チタン、アルミナ、酸化亜鉛、カラス等の無機系微粒子、シリコーン樹脂、架橋ポリマー等の有機系微粒子等が挙げられる。また、光拡散剤を混入する変わりに、あるいはこれと併用して、光拡散剤を混入する光拡散剤層を形成してもよいし、水平方向のマイクロレンチキュラーレンズ面や微細な凹凸面を形成してもよい。さらに、光拡散剤の他に、ティント剤、波長別吸収剤、難燃剤、光安定剤、耐熱劣化防止剤等の添加剤を必要に応じて添加することができる。
　【００４２】
　本発明の液晶プロジェクション用背面投射型スクリーンにおいては、必要に応じてレンチキュラーレンズシート２の前面に透光性前面板７を設置することもできる。透光性前面板７としては、透明性に優れた種々の材料が使用でき、例えば、ガラス、メタクリレート系樹脂、ポリカーボネート系樹脂、塩化ビニル系樹脂、スチレン系樹脂等の熱可塑性樹脂、架橋型シリコン系樹脂、架橋型アクリル系樹脂、イオン架橋型樹脂等の架橋硬化型樹脂等が挙げられ、これらの材料を押出成形あるいは鋳込成形等の通常の方法によって板状に製作されたものが使用できる。このような透光性前面板７の厚さは特に限定されるものではないが、投写スクリーンに機械的強度を付与するために、ガラス製のものでは２〜８ｍｍ程度の厚さ、プラッスチック製ものでは２〜１０ｍｍ程度の厚さが好ましい。特に、投写スクリーンの重量を考慮すると、いずれも２〜５ｍｍ程度の厚さのものが好ましい。また、ガラス製の前面板では、割れた場合のガラスの飛散を防止するためにセミ強化処理が施されているものが好ましく、プラスチック製の前面板では、表面のキズ防止のためにハードコート処理を施されているものが好ましい。
　【００４３】
　本発明においては、垂直方向の指向性を拡げるために透光性前面板７に光拡散手段を設けることもできる。光拡散手段としては、透光性前面板７の表面へのマット処理あるいはヘアライン処理、横レンチキュラーレンズの形成、拡散剤の混入、拡散剤層の形成等が挙げられる。中でも、画像のボケ等の画質低下を避けるために、マット処理、ヘアライン処理あるいは横レンチキュラーレンズの形成等の光拡散手段を施すことが好ましい。また、透光性前面板７には、コントラストを高める目的で、カーボンブラック、波長別選択吸収剤、ティント剤等を含有させることもできる。さらに、映込み防止、キズ防止あるいはゴミの付着防止等の目的で、透光性前面板７の表面に無反射コート処理、ハードコート処理あるいは帯電防止処理等の種々の表面処理を施すことができる。
　【００４４】
　【実施例】
　以下、実施例によって本発明を具体的に説明する。
　実施例１
　厚さ１．５ｍｍで、８７０ｍｍ×５００ｍｍのスチレン−メタクリル系樹脂板（屈折率１．５３）に、一方の表面にピッチ０．１５３ｍｍで、中央にフレネル中心を有する第１のリニアフレネルレンズを、他方の表面にピッチ０．０８８ｍｍで、中央にフレネル中心を有する第２のリニアフレネルレンズを互いのレンズ列が垂直に交差するように熱プレス成形法にて形成して、両面にリニアフレネルレンズを有するフレネルレンズシートを作成した。一方、厚さ２ｍｍで、８７０ｍｍ×５００ｍｍのメタクリル系樹脂板（屈折率１．４９２）の片面に、ピッチ０．２２ｍｍ、曲率半径０．１２ｍｍのレンチキュラーレンズ（Ｐ／Ｒ＝１．８）を熱プレス成形法にて形成して、レンチキュラーレンズシートを作成した。
　【００４５】
　得られたフレネルレンズシートとレンチキュラーレンズシートを、入射面側にレンチキュラーレンズが位置するように配置したレンチキュラーレンズシートを観察側に、入射面側に水平方向の第１のリニアフレネルレンズが、出射面側に鉛直方向の第２のリニアフレネルレンズが位置するように配置したフレネルレンズシートを光源側に設置し、さらにレンチキュラーレンズシートの前面にハードコート処理を施したティント剤を含有する厚さ２ｍｍのメタクリル系樹脂製透光性前面板を配置して、３６インチの背面投射型スクリーンを組立てた。この背面投射型スクリーンを用いて液晶画素の水平方向のピッチが０．９９ｍｍ、鉛直方向のピッチが０．７７ｍｍの３０万画素の液晶パネルを使用した液晶プロジェクターからの映像を投影した。得られた画像は、Ｇ０が２．００、αＨが２６．５１、βＨが３５．０９、γＨが３７．８９であり、優れた配光特性を有していた。また、外光の影響も少なく、モアレ現象の発生のない高品質のものであった。
　【００４６】
　実施例２
　厚さ１．５ｍｍで、８７０ｍｍ×５００ｍｍのスチレン−メタクリル系樹脂板（屈折率１．５３）に、一方の表面にピッチ０．１５３ｍｍで、中央にフレネル中心を有する第１のリニアフレネルレンズを、他方の表面にピッチ０．０８８ｍｍで、中央にフレネル中心を有する第２のリニアフレネルレンズを互いのレンズ列が垂直に交差するように熱プレス成形法にて形成して、両面にリニアフレネルレンズを有するフレネルレンズシートを作成した。一方、厚さ２ｍｍで、８７０ｍｍ×５００ｍｍのメタクリル系樹脂板（屈折率１．４９２）の片面に、ピッチ０．２２ｍｍ、曲率半径０．１４ｍｍのレンチキュラーレンズ（Ｐ／Ｒ＝１．６）を熱プレス成形法にて形成して、レンチキュラーレンズシートを作成した。
　【００４７】
　得られたフレネルレンズシートとレンチキュラーレンズシートを、入射面側にレンチキュラーレンズが位置するように配置したレンチキュラーレンズシートを観察側に、入射面側に水平方向の第１のリニアフレネルレンズが、出射面側に鉛直方向の第２のリニアフレネルレンズが位置するように配置したフレネルレンズシートを光源側に設置し、さらにレンチキュラーレンズシートの前面にハードコート処理を施したティント剤を含有する厚さ２ｍｍのメタクリル系樹脂製透光性前面板を配置して、３６インチの背面投射型スクリーンを組立てた。この背面投射型スクリーンを用いて液晶画素の水平方向のピッチが０．９９ｍｍ、鉛直方向のピッチが０．７７ｍｍの３０万画素の液晶パネルを使用した液晶プロジェクターからの映像を投影した。得られた画像は、Ｇ０が２．４０、αＨが２４．７８、βＨが２９．８０、γＨが３１．１７であり、優れた配光特性を有していた。また、外光の影響も少なく、モアレ現象の発生のない高品質のものであった。
　【００４８】
　比較例１
　厚さ１．５ｍｍで、８７０ｍｍ×５００ｍｍのスチレン−メタクリル系樹脂板（屈折率１．５３）に、一方の表面にピッチ０．１５３ｍｍで、中央にフレネル中心を有する第１のリニアフレネルレンズを、他方の表面にピッチ０．０８８ｍｍで、中央にフレネル中心を有する第２のリニアフレネルレンズを互いのレンズ列が垂直に交差するように熱プレス成形法にて形成して、両面にリニアフレネルレンズを有するフレネルレンズシートを作成した。一方、厚さ２ｍｍで、８７０ｍｍ×５００ｍｍのメタクリル系樹脂板（屈折率１．４９２）の片面に、ピッチ０．２２ｍｍ、曲率半径０．１７ｍｍのレンチキュラーレンズ（Ｐ／Ｒ＝１．３）を熱プレス成形法にて形成して、レンチキュラーレンズシートを作成した。
　【００４９】
　得られたフレネルレンズシートとレンチキュラーレンズシートを、入射面側にレンチキュラーレンズが位置するように配置したレンチキュラーレンズシートを観察側に、入射面側に水平方向の第１のリニアフレネルレンズが、出射面側に鉛直方向の第２のリニアフレネルレンズが位置するように配置したフレネルレンズシートを光源側に設置し、さらにレンチキュラーレンズシートの前面にハードコート処理を施したティント剤を含有する厚さ２ｍｍのメタクリル系樹脂製透光性前面板を配置して、３６インチの背面投射型スクリーンを組立てた。この背面投射型スクリーンを用いて液晶画素の水平方向のピッチが０．９９ｍｍ、鉛直方向のピッチが０．７７ｍｍの３０万画素の液晶パネルを使用した液晶プロジェクターからの映像を投影した。得られた画像は、外光の影響は少なかったが、Ｇ０が２．８０、αＨが２０．８７、βＨが２２．２４、γＨが２２．２９であり、配光特性に劣っていた。
　【００５０】
　比較例２
　厚さ１．５ｍｍで、８７０ｍｍ×５００ｍｍのスチレン−メタクリル系樹脂板（屈折率１．５３）に、一方の表面にピッチ０．１５３ｍｍで、中央にフレネル中心を有する第１のリニアフレネルレンズを、他方の表面にピッチ０．０８８ｍｍで、中央にフレネル中心を有する第２のリニアフレネルレンズを互いのレンズ列が垂直に交差するように熱プレス成形法にて形成して、両面にリニアフレネルレンズを有するフレネルレンズシートを作成した。一方、厚さ２ｍｍで、８７０ｍｍ×５００ｍｍのメタクリル系樹脂板（屈折率１．４９２）の片面に、ピッチ０．２２ｍｍ、曲率半径０．１１ｍｍのレンチキュラーレンズ（Ｐ／Ｒ＝２）を熱プレス成形法にて形成して、レンチキュラーレンズシートを作成した。
　【００５５】
　得られたフレネルレンズシートとレンチキュラーレンズシートを、入射面側にレンチキュラーレンズが位置するように配置したレンチキュラーレンズシートを観察側に、入射面側に水平方向の第１のリニアフレネルレンズが、出射面側に鉛直方向の第２のリニアフレネルレンズが位置するように配置したフレネルレンズシートを光源側に設置し、さらにレンチキュラーレンズシートの前面にハードコート処理を施したティント剤を含有する厚さ２ｍｍのメタクリル系樹脂製透光性前面板を配置して、３６インチの背面投射型スクリーンを組立てた。この背面投射型スクリーンを用いて液晶画素の水平方向のピッチが０．９９ｍｍ、鉛直方向のピッチが０．７７ｍｍの３０万画素の液晶パネルを使用した液晶プロジェクターからの映像を投影した。得られた画像は、外光の影響は少なかったが、Ｇ０が１．８０、αＨが２６．２４、βＨが３３．５３、γＨが３８．０１であり、配光特性には優れていたが、外光の影響が大きく強い照明の下で著しく画像の品質が低下するものであった。
　【００５６】
　【発明の効果】
　本発明の背面投射型スクリーンは、レンチキュラーレンズシートのレンチキュラーレンズを特定の形状とすることによって、配光特性に優れるとともに、外光の影響が少なく、配光特性と外光の影響のバランス性に優れた高品質の画像を得ることができるものであり、特に、液晶プロジェクターを使用した液晶プロジェクションテレビ等の背面投射型スクリーンとして適したものである。
【図面の簡単な説明】
　【図１】
　本発明の背面投射型スクリーンの構成の概略を示す斜視図である。
　【図２】
　本発明のレンチキュラーレンズシートの概略を示す部分断面図である。
　【図３】
　本発明のフレネルレンズシートの概略を示す部分斜視図である。
　【符号の説明】
　１　　　フレネルレンズシート
　２　　　レンチキュラーレンズシート
　３　　　第１のリニアフレネルレンズ
　４　　　第２のリニアフレネルレンズ
　５　　　フレネルレンズ列
　６　　　フレネル中心
　７　　　透光性前面板